【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
少なくとも１つのアルカリ土類金属炭酸水素塩を含む水性溶液の調製のための設備であって、
ａ）水を供給する工程流ラインと、
ｂ）少なくとも１つのアルカリ土類金属炭酸塩含有材料を含む水性懸濁液を得るための、前記少なくとも１つのアルカリ土類金属炭酸塩含有材料を、前記工程流ラインに供給された水の少なくとも一部に投入するのに好適である、少なくとも１つの投入ユニットと、
ｃ）少なくとも１つのアルカリ土類金属炭酸水素塩を含む水性懸濁液Ｓ１を得るための、前記工程流ライン中に供給された水の少なくとも一部又は少なくとも１つのアルカリ土類金属炭酸塩含有材料を含む水性懸濁液に、ＣＯ２又は５未満のｐＫａ値を有する酸を投入するのに好適である、少なくとも１つの手段と、
ｄ）入口によって前記少なくとも１つの工程流ラインに連結されたコンテナであって、前記コンテナが、
ｉ）少なくとも１つのアルカリ土類金属炭酸水素塩を含む水性溶液Ｓ２を得るために、前記水性懸濁液Ｓ１を少なくとも１つの浸漬型膜モジュールに通過させることによって、前記水性懸濁液Ｓ１の少なくとも一部を濾過するための前記少なくとも１つの浸漬型膜モジュールが前記コンテナ内に位置するように構成され、及び
ｉｉ）前記コンテナから前記少なくとも１つのアルカリ土類金属炭酸水素塩を含む水性溶液Ｓ２を放出するための、少なくとも１つの出口を含む、
ものであるコンテナと
を含む設備。
【請求項２】
前記少なくとも１つの投入ユニットが、
ｉ）固体材料用の貯蔵コンテナに連結され、及び／又は
ｉｉ）前記少なくとも１つのアルカリ土類金属炭酸塩含有材料が前記工程流ラインに供給された前記水中に直接投入されるように構成されている、又は
ｉｉｉ）前記少なくとも１つのアルカリ土類金属炭酸塩含有材料を含む水性懸濁液を調製するのに好適な容器に連結され、前記容器が前記工程流ラインに、前記工程流ラインに供給された前記水を導入するための入口及び前記少なくとも１つのアルカリ土類金属炭酸塩含有材料を含む水性懸濁液を放出するための出口によって連結されている、又は
ｉｖ）前記コンテナに連結されている、
請求項１に記載の設備。
【請求項３】
前記コンテナが反応槽である、請求項１又は２に記載の設備。
【請求項４】
前記コンテナが密閉反応槽である、請求項１又は２のいずれか一項に記載の設備。
【請求項５】
コンテナが、空気又は工程流体を前記少なくとも１つの浸漬型膜モジュールの表面の少なくとも一部にわたって、前記少なくとも１つの浸漬型膜モジュール及び／又は前記コンテナの底部から上部方向に再循環させるように構成された再循環手段を含む、請求項１〜４のいずれか一項に記載の設備。
【請求項６】
前記少なくとも１つの手段ｃ）が、
ｉ）ＣＯ２又は５未満のｐＫａ値を有する酸が前記工程流ラインに供給された水に直接投入されるように構成されている、又は
ｉｉ）少なくとも１つのアルカリ土類金属炭酸水素塩を含む水性懸濁液Ｓ１を調製するのに好適な容器に連結され、前記容器が前記工程流ラインに供給された水を導入するための入口及び前記少なくとも１つのアルカリ土類金属炭酸水素塩を含む水性懸濁液Ｓ１を放出するための出口によって前記工程流ラインに連結されている、又は
ｉｉｉ）コンテナに連結されている、
請求項１〜５のいずれか一項に記載の設備。
【請求項７】
前記少なくとも１つの手段ｃ）が、
ｉ）ＣＯ２又は５未満のｐＫａ値を有する酸が前記工程流ラインに供給された水に直接投入されるように構成されている、又は
ｉｉ）少なくとも１つのアルカリ土類金属炭酸水素塩を含む水性懸濁液Ｓ１を調製するのに好適な容器に連結され、前記容器が前記工程流ラインに供給された水を導入するための入口及び前記少なくとも１つのアルカリ土類金属炭酸水素塩を含む水性懸濁液Ｓ１を放出するための出口によって前記工程流ラインに連結されている、又は
ｉｉｉ）空気又は工程流体を前記少なくとも１つの浸漬型膜モジュールの表面の少なくとも一部にわたって、前記少なくとも１つの浸漬型膜モジュール及び／又は前記コンテナの底部から上部方向に再循環させるのに好適な再循環手段に、連結されている、
請求項１〜５のいずれか一項に記載の設備。
【請求項８】
前記少なくとも１つの浸漬型膜モジュールが、
ａ）１μｍ未満の細孔径を有し、及び／又は
ｂ）１０ｌ／（ｍ２ｈ）以上の流束を有し、及び／又は
ｃ）セラミック、ポリマー若しくは他の合成材料製である、
請求項１〜７のいずれか一項に記載の設備。
【請求項９】
前記少なくとも１つの浸漬型膜モジュールが、
ａ）０．１μｍ未満の細孔径を有し、及び／又は
ｂ）５０〜１５０ｌ／（ｍ２ｈ）の範囲の流束を有し、及び／又は
ｃ）セラミック、ポリマー若しくは他の合成材料製である、
請求項１〜７のいずれか一項に記載の設備。
【請求項１０】
前記少なくとも１つの工程流ラインが、１つ以上の主工程流ラインを含む、請求項１〜９のいずれか一項に記載の設備。
【請求項１１】
前記少なくとも１つの工程流ラインが、２つの主工程流ラインを含む、請求項１０に記載の設備。
【請求項１２】
前記２つの主工程流ラインが、前記主工程流ラインの主分岐及び前記主工程流ラインの副分岐である、請求項１１に記載の設備。
【請求項１３】
前記少なくとも１つの投入ユニットが、前記主工程流ラインの前記副分岐に位置する、請求項１１又は１２に記載の設備。
【請求項１４】
前記主工程流ラインの前記主分岐及び前記主工程流ラインの前記副分岐が、コンテナの上流で合流するように構成されている、請求項１１〜１３のいずれか一項に記載の設備。
【請求項１５】
前記少なくとも１つの工程流ラインが、１つの主工程流ライン及び１つ以上の副工程流ラインを含む、請求項１〜９のいずれか一項に記載の設備。
【請求項１６】
前記１つの主工程流ライン及び１つ以上の副工程流ラインが、１つの主工程流ライン及び１つ又は２つの副工程流ラインである、請求項１５に記載の設備。
【請求項１７】
前記少なくとも１つの工程流ラインが、１つの主工程流ライン及び２つの副工程流ラインを含む、請求項１５又は１６に記載の設備。
【請求項１８】
前記２つの副工程流ラインが、前記副工程流ラインの主分岐及び前記副工程流ラインの副分岐である、請求項１７に記載の設備。
【請求項１９】
前記少なくとも１つの投入ユニットが、前記副工程流ライン内に、又は存在する場合は、前記副工程流ラインの前記副分岐内に位置する、請求項１５〜１８のいずれか一項に記載の設備。
【請求項２０】
前記副工程流ラインの前記主分岐及び前記副工程流ラインの前記副分岐が、コンテナの上流で合流するように構成されている、請求項１５〜１９のいずれか一項に記載の設備。
【請求項２１】
前記主工程流ライン及び前記副工程流ラインが、コンテナの下流で合流するように構成されている、請求項１５〜２０のいずれか一項に記載の設備。
【請求項２２】
前記設備が、前記少なくとも１つのアルカリ土類金属炭酸水素塩を含む水性溶液Ｓ２に塩基を導入するための塩基投入手段を、コンテナの下流に含む、請求項１〜２１のいずれか一項に記載の設備。
【請求項２３】
前記設備が、前記副工程流ラインと前記主工程流ラインとが合流された箇所の下流で前記主工程流ラインに塩基を導入するための、塩基投入手段を含む、請求項１０〜２１のいずれか一項に記載の設備。
【請求項２４】
前記設備が、前記主工程流内の少なくとも１つのアルカリ土類金属炭酸水素塩を水と共に含む前記水性溶液Ｓ２の混合物に塩基を導入するための、塩基投入手段を含む、請求項１０〜２１のいずれか一項に記載の設備。
【請求項２５】
少なくとも１つのアルカリ土類金属炭酸水素塩を含む水性溶液の調製のための、請求項１〜９のいずれか一項に記載の設備の使用。
【請求項２６】
水のミネラル化及び／又は安定化のための、請求項１〜２１のいずれか一項に記載の設備の使用。